(57)【要約】【課題】運搬物等の包装対象物を簡単に梱包でき、開封できる包装箱を提供する。【解決手段】包装箱１では、各側面１１を底面１０に対して起こし、一方の側面１１の両側に設けられている各補助面１４と、他方の側面１１の両側に設けられている各補助面１４とを、折曲部１４１を切欠部１４０に係合させて留めることで、各側面１１が倒れないように支えることができる。また、切欠部１４０が形成された補助面１４に、折曲部１４１が形成された補助面１４を重ね、さらに、折曲部１４１が形成された補助面１４につま面１２を重ね、そして、つま面１２に設けられた差込孔１２０に突設片１４２を差し込んで、つま面１２が倒れないように、重ねられた補助面１４がつま面１２を支えている。そのため、この包装箱１を用いれば、包装対象物を梱包する際、側面１１及びつま面１２が倒れるのを押さえる必要がなくなるので、包装対象物を簡単に梱包できる。【選択図】  図１
0003165609.tif 000002
【実用新案登録請求の範囲】
【請求項１】
一枚の平面状に形成されたシート部材を折って包装対象物を包装する包装箱において、
前記包装対象物が載置される底面と、
前記底面に対して起こしたときに対向する一対の第１側面と、
前記底面に対して起こしたときに、前記一対の第１側面に対して垂直な方向で対向する一対の第２側面と、
を少なくとも有し、前記第１側面と前記第２側面とで前記底面の周囲を囲う大きさに形成され、
前記各第１側面は、
前記第２側面に隣接する両側に、該第１側面に対して折り曲げると前記各第２側面と重なる位置に配置される補助面を有し、
該各補助面は、
前記各第２側面に重なる位置に配置されたとき、一方の前記第１側面から折られたものの先端部分と他方の前記第１側面から折られたものの先端部分とが少なくとも互いに重なる長さに形成され、
この互いに重なる部分であって、一方の前記補助面の上辺には切欠部が形成され、他方の前記補助面の上辺には、折り曲げると前記切欠部に係合する折曲部が形成され、前記折曲部を折って前記切欠部に係合させることで、重なった前記各補助面を留めることを特徴とする包装箱。
【請求項２】
請求項１に記載の包装箱において、
前記切欠部が形成された前記補助面は、
前記第２側面に前記各補助面を重ねたとき前記各補助面同士が重なる部分であって、前記切欠部が形成された当該補助面の上辺のうち、前記切欠部よりも先端側の上辺から上方に向かって突設された突設片を備え、
前記第２側面は、
前記切欠部が形成された前記補助面に、前記折曲部が形成された前記補助面を重ね、さらに、これら重ねられた前記補助面に前記第２側面を重ねたときに、前記突設片を差し込む差込孔を備え、
前記突設片を前記差込孔に差し込むことで、重ねた前記各補助面に対して前記各第２側面を留める
ことを特徴とする包装箱。
【請求項３】
一枚の平面状に形成されたシート部材を折って包装対象物を包装する包装箱において、
前記包装対象物が載置される底面と、
前記底面に対して起こしたときに対向する一対の第１側面と、
前記底面に対して起こしたときに、前記一対の第１側面に対して垂直な方向で対向する一対の第２側面と、
を少なくとも有し、前記第１側面と前記第２側面とで前記底面の周囲を囲う大きさに形成され、
前記各第１側面は、
前記第２側面に隣接する両側に、該第１側面に対して折り曲げると前記各第２側面と重なる位置に配置される補助面を有し、
該各補助面は、
前記各第２側面に重なる位置に配置されたとき、一方の前記第１側面から折られたものの先端部分と他方の前記第１側面から折られたものの先端部分とが少なくとも互いに重なる長さに形成され、
前記第２側面に前記各補助面を重ねたとき前記各補助面同士が重なる部分であって、前記切欠部が形成された当該補助面の上辺のうち、前記切欠部よりも先端側の上辺から上方に向かって突設された突設片を備え、
前記第２側面は、
前記切欠部が形成された前記補助面に、前記折曲部が形成された前記補助面を重ね、さらに、これら重ねられた前記補助面に前記第２側面を重ねたときに、前記突設片を差し込む差込孔を備え、
前記突設片を前記差込孔に差し込むことで、重ねた前記各補助面に対して前記各第２側面を留める
ことを特徴とする包装箱。
【請求項４】
請求項１〜３のいずれか１項に記載の包装箱において、
前記包装対象物の上面を覆う天井面を形成可能な大きさに形成されていることを特徴とする包装箱。
【考案の詳細な説明】
【技術分野】
【０００１】
本考案は、シート部材で形成された包装箱に関する。
【背景技術】
【０００２】
大型の運搬物を搬送する際、図４に示すように、（ａ）底面２０１、両側面２０２、両つま面２０３が開いたダンボール２００を床等に敷き、（ｂ）（ｃ）そのダンボール２００の底面２０１上に運搬物の側面を包装する包装材３００を載せ、（ｄ）両側面２０２及び両つま面２０３を起こしてこれらと包装材３００に留め具２０４を通して包装材に固定していた。
【考案の概要】
【考案が解決しようとする課題】
【０００３】
しかし、従来の包装箱２００は、上述した留め具３００を用いなければ、起こした両側面２０２及び両つま面２０３が倒れてしまうので、留め具３００で留めるまで両側面２０２及び両つま面２０３を手で押さえる等せねばならず梱包作業に手間がかかるという問題を有していた。
【０００４】
本考案は、上記問題を解決するためなされたもので、運搬物等の包装対象物を簡単に梱包できる包装箱を提供することを目的とする。
【課題を解決するための手段】
【０００５】
この目的を達成するためになされた請求項１に記載の考案は、一枚の平面状に形成されたシート部材を折って包装対象物を包装する包装箱において、前記包装対象物が載置される底面と、前記底面に対して起こしたときに対向する一対の第１側面と、前記底面に対して起こしたときに、前記一対の第１側面に対して垂直な方向で対向する一対の第２側面と、を少なくとも有し、前記第１側面と前記第２側面とで前記底面の周囲を囲う大きさに形成され、前記各第１側面は、前記第２側面に隣接する両側に、該第１側面に対して折り曲げると前記各第２側面と重なる位置に配置される補助面を有し、該各補助面は、前記各第２側面に重なる位置に配置されたとき、一方の前記第１側面から折られたものの先端部分と他方の前記第１側面から折られたものの先端部分とが少なくとも互いに重なる長さに形成され、この互いに重なる部分であって、一方の前記補助面の上辺には切欠部が形成され、他方の前記補助面の上辺には、折り曲げると前記切欠部に係合する折曲部が形成され、前記折曲部を折って前記切欠部に係合させることで、重なった前記各補助面を留めることを特徴とする。
【０００６】
この包装箱では、各第１側面を底面に対して起こし、一方の第１側面の両側に設けられている各補助面と、他方の第１側面の両側に設けられている各補助面とを、各補助面に設けられた折曲部と切欠部とを係合させて留めることで、各第１側面が倒れないように支えることができる。
【０００７】
そのため、本考案の包装箱を用いれば、包装対象物を梱包する際、第１側面が倒れるのを押さえる必要がなくなるので、包装対象物を簡単に梱包できる。
また、本考案の包装箱は、開封するとき、切欠部から折曲部をはずすだけで両第１側面を倒すことができる。そのため、従来の包装箱に比べ、簡単に開封することができる。
【０００８】
尚、補助面の先端部分とは、補助面が第１側面に対して折曲可能に接続された部分とは反対側の遊端側という意味である。
また、補助面の上辺とは、補助面を第１側面とともに底面に対して起こしたときに、上方側に位置する辺という意味である。
【０００９】
また、シート部材とは、ダンボール、厚紙、プラスチック状等、包装箱を形成可能なものであればどのようなものでもよい。
次に、請求項２に記載の考案は、請求項１に記載の包装箱において、前記切欠部が形成された前記補助面は、前記第２側面に前記各補助面を重ねたとき前記各補助面同士が重なる部分であって、前記切欠部が形成された当該補助面の上辺のうち、前記切欠部よりも先端側の上辺から上方に向かって突設された突設片を備え、前記第２側面には、前記切欠部が形成された前記補助面に、前記折曲部が形成された前記補助面を重ね、さらに、これら重ねられた前記補助面に前記第２側面を重ねたときに、前記突設片を差し込む差込孔を備え、前記突設片を前記差込孔に差し込むことで、重ねた前記各補助面に対して前記各第２側面を留めることを特徴とする。
【００１０】
この包装箱では、切欠部が形成された補助面に、折曲部が形成された補助面を重ねて、折曲部を切欠部に係合させ、さらに、これら補助面に第２側面を重ねて、第２側面に設けられた差込孔に突設片を差し込むことで、折曲部と切欠部との係合で留められた２つの補助面に第２側面が留められる。
【００１１】
そのため、本考案の包装箱を用いれば、包装対象物を梱包する際、第２側面が倒れるのを押さえる必要がなくなるので、包装対象物を簡単に梱包できる。
また、本考案の包装箱は、開封するとき、差込孔から突設片を抜けば第２側面を倒すことができる。そのため、従来の包装箱に比べ、簡単に開封することができる。
【００１２】
次に、請求項３に記載したように、一枚の平面状に形成されたシート部材を折って包装対象物を包装する包装箱において、前記包装対象物が載置される底面と、前記底面に対して起こしたときに対向する一対の第１側面と、前記底面に対して起こしたときに、前記一対の第１側面に対して垂直な方向で対向する一対の第２側面と、を少なくとも有し、前記第１側面と前記第２側面とで前記底面の周囲を囲う大きさに形成され、前記各第１側面は、前記第２側面に隣接する両側に、該第１側面に対して折り曲げると前記各第２側面と重なる位置に配置される補助面を有し、該各補助面は、前記各第２側面に重なる位置に配置されたとき、一方の前記第１側面から折られたものの先端部分と他方の前記第１側面から折られたものの先端部分とが少なくとも互いに重なる長さに形成され、前記第２側面に前記各補助面を重ねたとき前記各補助面同士が重なる部分であって、前記切欠部が形成された当該補助面の上辺のうち、前記切欠部よりも先端側の上辺から上方に向かって突設された突設片を備え、前記第２側面は、前記切欠部が形成された前記補助面に、前記折曲部が形成された前記補助面を重ね、さらに、これら重ねられた前記補助面に前記第２側面を重ねたときに、前記突設片を差し込む差込孔を備え、前記突設片を前記差込孔に差し込むことで、重ねた前記各補助面に対して前記各第２側面を留めるようにしてもよい。
【００１３】
この場合、第１側面を起こし、突設片を備える補助面、突設片を備えない補助面、第２側面の順に重ね、突設片を差込孔に挿入すると、突設片を備える補助面を備える第１側面と、第２側面は、突設片が差込孔に差し込まれることによって留められる。
【００１４】
一方、突設片を備えていない第１側面は、突設片を備えている補助面と第２側面との間に挟まれるとともに、突設片が差込片に差し込まれた部分に補助面が引っかかって、補助面が倒れること、すなわち、突設片を備えていない第１側面が倒れることが防止される。
【００１５】
従って、請求項３に記載の包装箱のように構成しても、包装対象物を梱包する際、第１側面及び第２側面が倒れるのを押さえる必要がなくなるので、包装対象物を簡単に梱包できる。
【００１６】
また、本考案の包装箱は、開封するとき、差込孔から突設片を抜けば第１側面及び第２側面を倒すことができる。そのため、従来の包装箱に比べ、簡単に開封することができる。
【００１７】
尚、請求項１〜３では、包装対象物の上面を覆う天井面を備えたものについて説明していなかったが、請求項４に記載したように、本考案の包装箱は、請求項１〜３のいずれか１項に記載の包装箱において、包装対象物の上面を覆う天井面を形成可能な大きさに形成されていてもよいことはもちろんである。
【図面の簡単な説明】
【００１８】
【図１】本実施形態の包装箱の展開図である。
【図２】切欠部に折曲部を係合させ、側面１１が倒れないように留めた様子を示す斜視図である。
【図３】突設片を差込孔に差し込んで、つま面１４が倒れないように留めた様子を示す斜視図である。
【図４】従来の包装箱の組立方法を示した説明図である。
【考案を実施するための形態】
【００１９】
以下に本考案の実施形態を図面と共に説明する。
本実施形態の包装箱１は、図１に示すように、この包装箱１の展開図を象った一枚のダンボールを折って形成されるものである。
【００２０】
この包装箱１は、長方形状に画定された底面１０と、底面１０の長尺な各辺に連結され、長方形状に画定された一対の側面１１と、底面１０の短い各辺に連結され、長方形状に画定された一対のつま面１２とを備えている。
【００２１】
また、包装箱１は、各側面１１の長尺な各辺のうち、底面１０が連結される側とは反対側の辺に連結され、長方形状に画定された一対の天面１３を備えている。
また、各側面１１は、つま面１２に隣接する両側に、底面１０に対して折り曲げて起こしたときに側面１１に対して折り曲げると、底面１０に対して折り曲げて起こした各つま面１２と重なる位置に配置される補助面１４を有する。
【００２２】
この補助面１４は、つま面１２に重なる位置に配置されたとき、一方の側面１１から折られたものの先端部分と他方の側面１１から折られたものの先端部分とが少なくとも互いに重なる長さに形成されている。
【００２３】
そして、補助面１４は、この互いに重なる部分であって、一方の補助面１４の上辺１４ａ、すなわち側面１１と一緒に底面１０に対して起こしたとき上側になる辺、には切欠部１４０が形成され、他方の補助面１４の上辺１４ａには、折り曲げると切欠部１４０に係合する折曲部１４１が形成されている。
【００２４】
また、切欠部１４０が形成された補助面１４は、つま面１２に各補助面１４を重ねたとき各補助面１４同士が重なる部分であって、切欠部１４０が形成された補助面１４の上辺１４ａのうち、切欠部１４０よりも先端側の上辺１４ａから上方に向かって突設された突設片１４２を備えている。
【００２５】
一方、つま面１２には、切欠部１４０が形成された補助面１４に、折曲部１４１が形成された補助面１４を重ね、さらに、折曲部１４１が形成された補助面１４につま面１２を重ねたときに、突設片１４２を差し込む差込孔１２０が形成されている。
【００２６】
つま面１２は、この差込孔１２０を形成しているため、底面１０に対して起こしたときに、上辺の位置が側面１１の上辺よりも高くなる大きさに形成されている。
以上説明した包装箱１を用いて包装対象物を包装する方法について説明する。
【００２７】
この際、まず、包装対象物を底面１０上に載置する。
次に、側面１１を底面１０に対して起こし、包装対象物の側面部分のうち長尺な側面部分を覆う。
【００２８】
そして、各側面１１の補助面１４を、側面１１に対して折り、図２に示すように、補助面１４の先端部分を、他方の側面１１に対して折った補助面１４の先端部分に重ね、折曲部１４１を折って切欠部１４０に係合させる。
【００２９】
このようにすると、折曲部１４１と切欠部１４０との係合により、各側面１１から折られた各補助面１４が接続され、各側面１１が倒れることが防止される。
尚、この補助面１４を重ねるとき、切欠部１４０が形成された補助面１４が内側に配置されるように、各補助面１４を重ねる。
【００３０】
次に、つま面１２を底面１０に対して起こし、包装対象物の側面部分のうち短い側面部分を覆う。
そして、図３に示すように、切欠部１４０が形成された補助面１４が備える突設片１４２を、つま面１２に形成された差込孔１２０に差し込む。
【００３１】
すると、つま面１２は、倒れないように補助面１４に固定される。
そして、最後に天面１３を側面１１に対して倒し、包装対象物の上面を覆えば、本実施形態の包装箱１により包装対象物を包装することができる。
【００３２】
以上説明した本実施形態の包装箱１を用いると以下のような利点がある。
この包装箱１では、各側面１１を底面１０に対して起こし、一方の側面１１に設けられている補助面１４と、他方の側面１１に設けられている補助面１４とを、折曲部１４１を切欠部１４０に係合させて留めることで、各側面１１が倒れないように支えることができる。
【００３３】
そのため、本実施形態の包装箱１を用いれば、包装対象物を梱包する際、側面１１が倒れるのを押さえる必要がなくなるので、包装対象物を簡単に梱包できる。
また、本実施形態の包装箱１では、さらに、つま面１２に設けられた差込孔１２０に突設片１４２を差し込んで、つま面１２が倒れないようにつま面１２を支えている。
【００３４】
そのため、本実施形態の包装箱１を用いれば、包装対象物を梱包する際、つま面１２が倒れるのを押さえる必要がなくなるので、包装対象物を簡単に梱包できる。
また、本実施形態の包装箱１は、切欠部１４０が形成された補助面１４に、折曲部１４１が形成された補助面１４を重ね、さらに、折曲部１４１が形成された補助面１４につま面１２を重ね、このときに差込孔１２０に突設片１４２を差し込むことができるように形成されている。
【００３５】
そのため、本実施形態の包装箱１では、補助面１４同士が切欠部１４０への折曲部１４１の係合によって固定され、さらに、差込孔１２０への突設片１４２の差し込みによって、つま面１２が補助面１４に固定され、この結果、つま面１２が倒れてしまうことを確実に防止することができる。
【００３６】
尚、上記実施形態における側面１１は、本考案の第１側面に相当し、つま面１２は、本考案の第２側面に相当する。
また、本考案は、実用新案登録請求の範囲に記載された考案の趣旨に合致するものであればよく、上述の実施形態に限定されるものではない。
【００３７】
例えば、上記実施形態では、両補助面１４が切欠部１４０と折曲部１４１を備えていたが、包装箱は場合によっては、これら切欠部１４０と折曲部１４１を備えていなくてもよい。
【００３８】
このような包装箱の場合、側面１１を起こし、突設片１４２を備える補助面１４、突設片１４２を備えない補助面１４、つま面１２の順に重ね、突設片１４２を差込孔１２０に挿入すると、突設片１４２を備える補助面１４を備える側面１１と、つま面１２は、突設片１４２が差込孔１２０に差し込まれることによって留められる。
【００３９】
一方、突設片１４２を備えていない側面１１は、突設片１４２を備えている補助面１４とつま面１２との間に挟まれるとともに、突設片１４２が差込片１２０に差し込まれた部分に補助面１４が引っかかって、補助面１４が倒れること、すなわち、突設片１４２を備えていない側面１４が倒れることが防止される。
【００４０】
従って、包装箱を上記のように構成しても、包装対象物を梱包する際、側面１１及びつま面１２が倒れるのを押さえる必要がなくなるので、包装対象物を簡単に梱包できる。
また、この包装箱は、開封するとき、差込孔１２０から突設片１４２を抜けば側面１１及びつま面１２を倒すことができる。そのため、従来の包装箱に比べ、簡単に開封することができる。
【符号の説明】
【００４１】
１…包装箱、１０…底面、１１…側面、１２…つま面、１３…天面、１４…補助面、１２０…差込孔、１４０…切欠部、１４１…折曲部、１４２…突設片。
【図１】
0003165609.tif 000003
【図２】
0003165609.tif 000004
【図３】
0003165609.tif 000005
【図４】
0003165609.tif 000006